(57)【要約】テストフィンガー（１）であって、フィンガー状ロッド部（２）を備え、フィンガー状ロッド部（２）の先端部（３）に距離を測定するためのテスト部が接続され、テスト部が一組のテストヘッドであり、テストヘッドの長さが侵入保護中の異なる電圧レベルにおける最小安全距離に対応し、テスト部とフィンガー状ロッド部（２）の先端部（３）との接続が脱着可能な挿入接続である。当該テストフィンガー（１）は、電気設備内部の絶縁されていない帯電部品又は帯電回線から保護部品までの距離が最小安全距離以上であるか否かを正確に判断でき、従来の技術において、空間の制限を受けてキャリパを使用できないため、フィンガー状ロッド部（２）の先端部（３）から帯電部品又は帯電回線までの距離を正確に測定できない問題を解決する。
2015515615.tif 000002
【特許請求の範囲】
【請求項１】
フィンガー状ロッド部（２）を備え、前記フィンガー状ロッド部（２）の先端部（３）に距離を測定するためのテスト部が接続されていることを特徴とするテストフィンガー。
【請求項２】
前記テスト部が一組のテストヘッドであり、前記テストヘッドの長さが侵入保護中の異なる電圧レベルにおける最小安全距離に対応することを特徴とする請求項１に記載のテストフィンガー。
【請求項３】
前記テスト部が、前記フィンガー状ロッド部（２）の前記先端部（３）に接続される接続部分（７）と、長さを測定するための標定値部分（６）とを備えることを特徴とする請求項１に記載のテストフィンガー。
【請求項４】
前記フィンガー状ロッド部（２）の前記先端部（３）に部分球形溝部（１５）が設けられ、前記部分球形溝部（１５）の底部に磁石（４）が固定されて設けられ、前記部分球形溝部（１５）の中に強磁性材料からなる接続ボール（５）が設けられ、前記接続ボール（５）が前記磁石（４）と接触し、前記接続ボール（５）が前記磁石（４）の磁性によって前記部分球形溝部（１５）内に接続され、前記接続ボール（５）に前記テスト部の前記接続部分（７）と嵌合する孔（１６）が設けられ、前記テスト部の前記接続部分（７）が前記孔（１６）に挿入されることを特徴とする請求項３に記載のテストフィンガー。
【請求項５】
前記フィンガー状ロッド部（２）の前記先端部（３）が位置する端部の中間に前記フィンガー状ロッド部（２）の外縁まで伸びる溝部（１７）が設けられ、前記フィンガー状ロッド部（２）の前記先端部（３）に半分の球形よりも大きい部分球形溝部（１５）が設けられ、前記部分球形溝部（１５）の中に直径が当該部分球形溝部の直径よりもやや大きい接続ボール（８）が設けられ、前記接続ボール（８）に前記テスト部の前記接続部分（７）と嵌合するための孔（１６）が設けられ、前記テスト部の前記接続部分（７）が前記孔（１６）の中に挿入されることを特徴とする請求項３に記載のテストフィンガー。
【請求項６】
前記溝部（１５）の底部は円柱溝（１８）に連通し、前記円柱溝（１８）の直径が前記溝部（１５）の幅よりも大きいことを特徴とする請求項５に記載のテストフィンガー。
【請求項７】
前記テスト部の前記接続部分（７）と前記接続ボール（８）上の前記孔（１６）が、締め代を持って嵌合、又は係合、又は磁性によって接続されることを特徴とする請求項４〜請求項６のいずれか１項に記載のテストフィンガー。
【請求項８】
前記フィンガー状ロッド部（２）が中空であり、前記フィンガー状ロッド部（２）の前記先端部（３）に円形のクランク（１０）が回動可能に接続され、前記クランク（１０）が前記フィンガー状ロッド部（２）の前記先端部（３）の半径方向の軸を中心に回動し、前記クランク（１０）の半径方向の縁部に前記テスト部と嵌合される突起部（９）が設けられ、前記テスト部の前記接続部分（７）が前記突起部（９）に外嵌し、前記クランク（１０）が駆動軸（１１）の一端に接続され、前記駆動軸（１１）の他端がスライドバー（１２）に回動的に接続され、前記駆動軸（１１）と前記スライドバー（１２）の一部とが前記フィンガー状ロッド部（２）内に収容され、前記スライドバー（１２）が伸びて前記フィンガー状ロッド部（２）の端部を越えていることを特徴とする請求項３に記載のテストフィンガー。
【請求項９】
前記テスト部の前記接続部分（７）と前記突起部（９）とが、締め代を持って嵌合、又は係合、又は磁性によって接続されることを特徴とする請求項８に記載のテストフィンガー。
【請求項１０】
前記スライドバー（１２）の自由端が前記フィンガー状ロッド部（２）の自由端と螺合されることを特徴とする請求項９に記載のテストフィンガー。
【発明の詳細な説明】
【技術分野】
【０００１】
本発明は、テストフィンガーに関し、特に電気設備の侵入保護レベルが安全基準に合致するか否かを確認するために用いられるテストフィンガーに関する。
【背景技術】
【０００２】
電気設備の稼動中に、電撃又は傷害を減少するために、一般に、電気設備内部の絶縁されていない帯電部品又は帯電回線と例えばハウジングのような保護部品との距離を測定し、当該距離が最小安全距離以上であるか否かを判断する。これによって、人或は他の生物が絶縁されていない帯電部品又は帯電回線と直接に接触して傷害を受けるのを防止する必要がある。
【０００３】
従来において、当該距離を測定するための方法として、測定すべき位置にフィンガー状のロッドをセットしてから、キャリパを用いて当該ロッドの先端部から帯電部品又は帯電回線までの距離を測定する。このような測定方法によれば、キャリパが空間の制限を受けて、測定を効果的に行うことができないこともある。この場合、エンジニアは、当該距離を目で直接に推定することで、当該距離が最小安全距離以上であるか否かを判断するしかないが、推定した結果が正確でない場合がある。
【発明の概要】
【０００４】
従来の技術における上記問題を解決するために、本発明は、当該距離が最小安全距離以上であるか否かを正確に判断できるテストフィンガーを提供する。当該テストフィンガーは電気設備に用いられ、テストフィンガーの先端部と絶縁されていない帯電部品又は帯電回線との間の距離が最小安全距離以上であるか否かを正確に判断する。
【０００５】
本発明で提供するテストフィンガーは、フィンガー状ロッド部を備え、フィンガー状ロッド部の先端部に距離を測定するためのテスト部が接続されている。
【０００６】
当該フィンガー状ロッド部の機能は、従来の技術におけるフィンガー状のロッドと同じであり、使用中において、フィンガー状ロッド部の先端部を電気設備のハウジングに当接させ、テスト部によってフィンガー状ロッド部の先端部と絶縁されていない帯電部品又は帯電回線との間の距離を直接に測定する。テスト部の長さは予め設定でき、選べられたテスト部の長さが必要とする最小安全距離の長さである。テスト部の自由端が帯電体（つまり、絶縁されていない帯電部品又は帯電回線）に接触できると、当該距離は最小安全距離以下であり、逆に、自由端が帯電体に接触できないと、当該距離は最小安全距離以上である。当該距離が最小安全距離以上である場合、安全設定基準に合致する。
【０００７】
通常、テスト部は一組のテストヘッドであり、前記テストヘッドの長さは侵入保護中の異なる電圧レベルにおける最小安全距離に対応する。
【０００８】
テスト部は、フィンガー状ロッド部の前記先端部に接続される接続部分と、長さを測定するための標定値部分とを備える。
【０００９】
異なる電圧レベルについて、安全距離に対する要求も異なるため、テストヘッドは、異なる標定長さを有するように製作されることで、異なる電圧レベル情況におけるテストに対応できる。
【００１０】
フィンガー状ロッド部の先端部に部分球形溝部が設けられ、部分球形溝部の底部に磁石が固定されて設けられ、部分球形溝部の中に強磁性材料からなる接続ボールが設けられ、接続ボールが磁石と接触して磁石の磁性によって部分球形溝部内に接続され、接続ボールにテスト部の接続部分と嵌合する孔が設けられ、テスト部の接続部分が当該孔に挿入される。
【００１１】
テスト部の接続部分と接続ボールの孔は、締め代を持って嵌合、又は係合、又は磁性によって接続される。
【００１２】
このような接続構造によって、接続ボールは、フィンガー状ロッド部の先端部内の部分球形溝部内で自由に回動できるため、接続ボールの孔内に挿入されたテスト部も接続ボールの自由回動につれて規定された角度内で自由に揺動できる。テスト部の方向が自由に変化できるため、当該テストフィンガーの使用がより柔軟になる。
【００１３】
テスト部とフィンガー状ロッド部の先端部との接続は脱着可能な挿入接続であるため、実際に用いられる電圧に基づいて、ユーザーが異なる標定長さのテスト部を簡単に交換できる。
【００１４】
テスト部の接続部分と接続ボールの孔とが、締め代を持って嵌合、又は係合、又は磁性によって接続されるため、テスト使用中にテスト部が孔から脱落することがない。
【００１５】
フィンガー状ロッド部の先端部が位置する端部の中間にフィンガー状ロッド部の外縁まで伸びる溝部が設けられ、フィンガー状ロッド部の先端部に半分の球形よりも大きい部分球形溝部が設けられ、当該部分球形溝部の中に直径が当該部分球形溝部の直径よりもやや大きい接続ボールが設けられ、接続ボールにテスト部の接続部分と嵌合するための孔が設けられ、テスト部の接続部分が当該孔の中に挿入される。
【００１６】
当該溝部の底部は円柱溝に連通し、当該円柱溝の直径は当該溝部の幅よりも大きい。
【００１７】
テスト部の接続部分と接続ボールの孔とは、締め代を持って嵌合、又は係合、又は磁性によって接続される。
【００１８】
このような接続構造を採用することで、フィンガー状ロッド部の先端部が位置する端部に設けられた連通溝部の弾性変形によって、ボールが外から半分の球形よりも大きい部分球形溝部内に押入れて係合され、且つ、自由に回動でき、ボールがフィンガー状ロッド部の先端部から脱落することがない。説明の簡略化のために、当該接続構造において、上記接続構造と同じ或いは類似するメリットを省略する。
【００１９】
フィンガー状ロッド部は中空であり、フィンガー状ロッド部の先端部に円形のクランクが回動可能に接続され、クランクがフィンガー状ロッド部の先端部の半径方向の軸を回って回動し、クランクの半径方向の縁部にテスト部と嵌合される突起部が設けられ、テスト部の接続部分が当該突起部に外嵌し、クランクが駆動軸の一端に接続され、駆動軸のほかの一端がスライドバーに回動的に接続され、駆動軸とスライドバーの一部とがフィンガー状ロッド部内に収容され、スライドバーが伸びてフィンガー状ロッド部の端部を越えている。
【００２０】
テスト部の接続部分と突起部とは、締め代を持って嵌合、又は係合、又は磁性によって接続される。
【００２１】
このような構造を採用することで、当該テストフィンガーの使用中に、スライドバーを引いたり押したりすることで、スライドバーが駆動軸を動かし、駆動軸がクランクを駆動し、クランクが突起部上のテスト部を回動させ、テスト部の方向を変える。説明の簡潔化のために、当該接続構造において、上記２つの接続構造と同じ或いは類似するメリットを省略する。
【００２２】
当該構造において、スライドバーの自由端はフィンガー状ロッド部の自由端と螺合されてもよい。
【００２３】
螺合によってスライドバーのスライドを制御して、スライドバーのスライドをより安定させるので、スライドバーが駆動軸を介してクランクを駆動する運動をより容易に制御できる。
【００２４】
本発明で提出されたテストフィンガーは、従来の技術において、空間の制限を受けてキャリパを使用できないことで、フィンガー状のロッドの先端部から帯電部品又は帯電回線までの距離を正確に測定できない問題を解決し、その使用が便利で、構造が簡単である。当該テストフィンガーによって、フィンガー状のロッドの先端部から帯電部品又は帯電回線までの距離が安全基準に合致するか否かを容易且つ正確に確認できる。
【００２５】
本発明のほかのメリットおよび特徴は、次の図面に示されている本発明の特定の実施例に対する説明によってより明確に説明される。次の図面は、ただ例示のために提供されたものであり、本発明を制限するものではない。
【図面の簡単な説明】
【００２６】
【図１】図１（ａ）は、本発明の第１実施例に係るテストフィンガーの組み合わせた後の図面であり、図１（ｂ）は、本発明の第１実施例に係るテストフィンガーの分解図であり、図１（ｃ）は、本発明の第１実施例に係るテストフィンガーの断面図である。
【図２】図２（ａ）は、本発明の第２実施例に係るテストフィンガーの組み合わせた後の図面であり、図２（ｂ）は、本発明の第２実施例に係るテストフィンガーの分解図であり、図２（ｃ）は、本発明の第２実施例に係るテストフィンガーの断面図である。
【図３】図３（ａ）は、本発明の第３実施例に係るテストフィンガーの組み合わせた後の図面であり、図３（ｂ）は、本発明の第３実施例に係るテスト部を設けていないテストフィンガーの図面であり、図３（ｃ）は、本発明の第３実施例に係るテストフィンガーおよびその関連構造の図面である。
【発明を実施するための形態】
【００２７】
図１（ａ）〜図３（ｃ）を参照しながら、本発明のテストフィンガーの実施例を説明する。本発明を明確且つ簡潔に説明するために、異なる実施例において、同じ又は類似する部品は同じ符号を用いる。
【００２８】
本発明で提供するテストフィンガー１は、フィンガー状ロッド部２を備え、フィンガー状ロッド部２の先端部３にテスト部が接続されている。テスト部は２つの部分に分けられ、その１つは、フィンガー状ロッド部の先端部３に接続される接続部分７であり、もう１つは、テストフィンガーの先端部と絶縁されていない帯電部品又は帯電回線との間の距離を測定するための標定値部分６である。
【００２９】
当該フィンガー状ロッド部２の機能は、従来の技術におけるフィンガー状のロッドと同じであり、使用中において、フィンガー状ロッド部２の先端部３を電気設備のハウジングに当接させ、テスト部によってフィンガー状ロッド部２の先端部３と絶縁されていない帯電部品又は帯電回線との間の距離を直接に測定する。テスト部の長さは予め設定でき、選ばれたテスト部の長さが必要とする最小安全距離の長さである。テスト部の自由端が帯電体（つまり、絶縁されていない帯電部品又は帯電回線）に接触できると、当該距離は最小安全距離以下であり、逆に、自由端が帯電体に接触できないと、当該距離は最小安全距離以上である。当該距離が最小安全距離以上である場合、安全設定基準に合致する。
【００３０】
通常、テスト部は異なる標定長さを有する一組のテストヘッドであり、当該テストヘッドはフィンガー状ロッド部２の先端部３で交換しながら使用できる。それは、異なる電圧レベルの情況で安全距離に対する要求も異なり、テストヘッドが異なる標定長さを有するように製作され、且つ、使用中に交換できれば、異なる電圧レベルでのテストに対応できるためである。
【００３１】
［第１実施例］
図１（ｂ）に示すように、フィンガー状ロッド部２の先端部３に部分球形溝部１５が設けられ、部分球形溝部１５の底部に磁石４が固定されて設けられ、部分球形溝部１５の中に強磁性材料からなる接続ボール５が収容される。接続ボール５が磁石４と接触して磁石４の磁性によって部分球形溝部１５内に接続される。接続ボール５にテスト部の接続部分７と嵌合する孔１６が設けられ、テスト部の接続部分７が当該孔１６に挿入される。
【００３２】
テスト部がフィンガー状ロッド部２の先端部３に安定的に接続され脱落しないようにするために、さらに、テスト部の接続部分７を磁石を含む材料で形成してもよい。このようにすれば、接続部分７と接続ボール５との間の磁性吸引力によって、テスト部が先端部３に安定的に接続できる。
【００３３】
テスト部を安定的に接続させるために、さらに、テスト部の接続部分７と接続ボール５の孔１６とが、締め代を持って嵌合、又は係合されてもよい。
【００３４】
テスト部が接続ボール５に接続され、接続ボール５と部分球形溝部１５とが磁性によって接続されるため、接続ボール５は、フィンガー状ロッド部２の先端部３内の部分球形溝部１５内で自由に回動できるため、接続ボール５の孔１６内に挿入されたテスト部も接続ボール５の自由回動につれて規定された角度内で自由に揺動できる。テスト部の方向が自由に変化できるため、当該テストフィンガーの使用がより柔軟になる。当該角度変化は、一般にテストフィンガーを使用する前に調整を行い、テストフィンガーの使用中には、テスト部の方向を一般に変化してはいけない。
【００３５】
テスト部とフィンガー状ロッド部２の先端部３との接続は脱着可能な挿入接続であるため、簡単にテスト部を交換できる。
【００３６】
［第２実施例］
明確且つ簡潔に説明するために、第１実施例の接続構造と同じ又は類似するメリットに対して説明を省略する。
【００３７】
図２（ｂ）に示すように、フィンガー状ロッド部２の先端部３の中間に溝部１７が設けられ、当該溝部１７がフィンガー状ロッド部３の外縁まで伸びる。つまり、当該溝部１７は連通溝部であり、当該溝部１７の底部は円柱溝１８に連通し、当該円柱溝１８の直径は当該溝部１７の幅よりも大きい。フィンガー状ロッド部２の先端部３に半分の球形よりも大きい部分球形溝部１５が設けられ、接続ボール８をその中に収容し、且つ、半分の球形よりも大きいため、接続ボール８が部分球形溝部１５から脱落することがない。
【００３８】
当該実施例において、フィンガー状ロッド部２の先端部３が位置する端部に設けられた連通溝部の弾性変形によって、接続ボール８が外から半分の球形よりも大きい部分球形溝部１５内に押入れて係合され、且つ、自由に回動でき、接続ボール８がフィンガー状ロッド部の先端部から脱落することがない。
【００３９】
接続ボール８の直径が当該球形溝部１５の直径よりもやや大きいことで、接続ボール８はより安定的に球形溝部１５の中に固定できる。
【００４０】
第１実施例での機能と同じく、接続ボール８にもテスト部の接続部分７と嵌合するための孔１６が設けられ、テスト部の接続部分７が当該孔１６の中に挿入される。
【００４１】
テスト部を安定的に先端部３に接続させるために、さらに、テスト部の接続部分７と接続ボール８がそれぞれに磁石を含む材料と強磁性材料からなるようにすることで、接続部分７と接続ボール８の間で磁性接続を実現できる。
【００４２】
テスト部を安定的に先端部３に接続させるために、さらに、テスト部の接続部分７と接続ボール８上の孔１６とが締め代を持って嵌合、又は係合されたてもよい。
【００４３】
［第３実施例］
明確且つ簡潔に説明するために、第１実施例および第２実施例の接続構造と同じ又は類似するメリットに対して説明を省略する。
【００４４】
図３（ａ）に示されたテストフィンガー１は、図３（ｃ）に示されたテスト部およびその関連部分が図３（ｂ）に示されたフィンガー状ロッド部２に外嵌されたものである。
【００４５】
図３（ｂ）に示すように、フィンガー状ロッド部２は中空であり、円形のクランク１０がフィンガー状ロッド部２の先端部３に回動可能に接続され、円形のクランク１０の中部に係合ピン１３が設けられ、当該係合ピン１３が先端部３上のピンホール１４に嵌め込まれる。係合ピン１３はクランク１０の正反両側に設けられ、先端部にもこれに応じて２つのピンホール１４が設けられている。係合ピン１３とピンホール１４とが嵌め込みことで、クランク１０がフィンガー状ロッド部２の先端部３の半径方向の軸を中心に回動し、つまり、クランク１０がその正反両側の係合ピン１３が形成する軸を中心に回動する。
【００４６】
クランク１０の半径方向の縁部にテスト部と嵌合される突起部９が設けられ、テスト部の接続部分７が当該突起部９に外嵌し、クランク１０が駆動軸１１の一端に接続され、駆動軸１１の他端がスライドバー１２に回動的に接続される。スライドバー１２の運動が駆動軸１１の運動を介してクランク１０を駆動して回動させるため、テスト部の方向が変わる。
【００４７】
駆動軸１１と、スライドバー１２の一部とがフィンガー状ロッド部２の内部に収容され、スライドバー１２が伸びてフィンガー状ロッド部２の端部を越えている。このような構造は、テストフィンガーの全体サイズを減少させ、ユーザーが、スライドバー１２が伸びてフィンガー状ロッド部２の端部を越えている部分に接触でき、当該スライドバー１２を容易に操作してテスト部の方向を効果的に制御できる。
【００４８】
当該構造によれば、使用中において、スライドバー１２を操作してテストヘッドの方向を変えることができ、第１および第２実施例に比べて、テストフィンガーの使用柔軟性をさらに向上させる。
【００４９】
テスト部を先端部３に安定的に接続させるために、さらに、テスト部の接続部分７と突起部９とが、磁性によって接続される
【００５０】
テスト部を先端部３に安定的に接続させるために、さらに、テスト部の接続部分７と突起部９とが、締め代を持って嵌合、又は係合される。
【００５１】
当該実施例において、スライドバー１２の自由端がフィンガー状ロッド部の自由端と螺合されてもよい。螺合によってスライドバー１２のスライドを制御して、スライドバー１２のスライドをより安定させるので、スライドバー１２がクランク１０を動かす運動をより簡単に制御できる。
【００５２】
本発明のテストフィンガーは、一般に電気設備に適用するが、ほかの必要がある場合にも適用できる。これら具体的な実施例は、ただ例示に過ぎなく、制限的な説明ではない。
【００５３】
上記実施例の具体的な実施形態における特徴は、適用される情況に基づいて、組み合わせたり、替わったりしてもよい。
【００５４】
以上、本発明に対して詳細に説明したが、この分野の従業者が本発明の思想に基づいて、具体的な実施形態および適用範囲で行う変更は本発明の保護範囲内にあるべきであり、本明細書の内容は、本発明を制限しない。
【符号の説明】
【００５５】
１  テストフィンガー
２  フィンガー状ロッド部
３  先端部
４  磁石
５  接続ボール
６  標定値部分
７  接続部分
８  接続ボール
９  突起部
１０  クランク
１１  駆動軸
１２  スライドバー
１３  係合ピン
１４  ピンホール
１５  部分球形溝部
１６  孔
１７  溝部
【図１】
2015515615.tif 000003
【図２】
2015515615.tif 000004
【図３】
2015515615.tif 000005
【国際調査報告】
2015515615.tif 000006
2015515615.tif 000007
2015515615.tif 000008
2015515615.tif 000009
2015515615.tif 000010
2015515615.tif 000011
2015515615.tif 000012